(57)【要約】液体透過性を有する基材と、この基材上に部分的に積層された液体透過性で光に対し低屈折率の材料からなる表示部とからなり、揮散性の液体が含有されてなる期間インジケーターにおいて、前記表示部は、光に対し低屈折率を呈する微粒粉体にバインダーを混合してなる表示部形成材を基材表面に塗布することによって形成され、該表示部は２以上の領域から構成され、各領域は前記表示部形成材の単位面積当たりの塗布量が異なることにより前記基材の表面からの高さが異なることを特徴とする期間インジケーターである。この期間インジケーターは、薬液の含有状態を段階的に表示することができるので、防虫剤、殺虫剤、消臭剤、芳香剤などの薬液の有効期間を表示する期間インジケーターとして有用である。
2003052721.tif 000002
【特許請求の範囲】
【請求項１】
液体透過性を有する基材と、この基材上に部分的に積層された液体透過性で光に対し低屈折率の材料からなる表示部とからなり、揮散性の液体が含有されてなる期間インジケーターにおいて、前記表示部は、光に対し低屈折率を呈する微粒粉体にバインダーを混合してなる表示部形成材を基材表面に塗布することによって形成され、該表示部は２以上の領域から構成され、各領域は前記表示部形成材の単位面積当たりの塗布量が異なることにより前記基材の表面からの高さが異なることを特徴とする期間インジケーター。
【請求項２】
表示部を構成する２以上の領域が、基材の表面上において、分離配置されてなることを特徴とする請求項１に記載の期間インジケーター。
【請求項３】
表示部を構成する２以上の領域における表示部形成材の単位面積当たりの塗布量が４〜１５０ｇ／ｍ２の範囲内にあり、塗布量の最も小さい領域における塗布量が４〜４０ｇ／ｍ２であり、２以上の領域間の塗布量の差が５ｇ／ｍ２以上であることを特徴とする請求項１に記載の期間インジケーター。
【発明の詳細な説明】
技術分野
本発明は、薬液などの有効期間を知るための期間インジケーターに関する。詳しくは、薬液などの有効期間の終点に至るまでに、液体残存量を段階的に表示することのできる期間インジケーターに関する。
背景技術
従来から、防虫剤、殺虫剤、消臭剤、芳香剤などの有効期間を知るために、薬液の含有状態を表示する、種々のタイプの期間インジケーターが提案されている。
薬液透過性材からなる基板材の片面全体に或いは基板材面に対し部分的に、薬液透過性で光に対し低屈折率の材料を積層して表示部を形成したシート材中に薬液が含有されてなるのものとしては、例えば、特公昭６３−２４９６１号や実公平５−９３８号等がある。これらにおいては、表示部として、薬液透過性で光に対して低屈折率の材料として無定形シリカなどが用いられ、薬剤が残存中は透明化し、薬剤が揮散消失すると不透明化する表示部の機能によって、薬剤の有効期間の終期を知ることができる。
近年では、表示の多様性が求められ、有効期間終期のみでなく、有効期間初期や、有効期間中の表示が可能なインジケーターも提案されている。
日本特許第３０４５６５１号においては、期間終期の表示に加えて、期間初期や期間中を示す表示を基板材面に備えた期間表示器が提案されている。期間終期の表示には光に対し低屈折率を呈する表示層を用い、期間初期や期間中の表示には光に対し基板材よりも高い反射率の表示層を用いる。期間初期や期間中の表示は、薬剤が揮散消失する期間終期においても表示が消えないため、期間終期の表示に隠蔽されるか、期間終期の表示との組み合わせの形態にするなどの工夫が必要であり、表示する文字や図形が制約を受ける。
また、特開平８−１０６２５１号には、薬液透過性で光に対し低屈折率の表示材料として不織布を用いるものが提案されている。密度を部分的に変化させた不織布を用いることにより、低密度部分と高密度部分とで変色に時間差を生じさせ、薬剤の揮散の程度を段階的に表示することが提案されているが、表示材料が不織布であるため、文字や記号などを表示するためには、不織布への印刷などの別の手段を必要とする。
このような表示の多様性のための機能が付加されるに従って、各表示部を形成する材料の構成成分を種々変更させる必要があり、製造工程が複雑になるために、コストアップの問題も生じている。
発明の開示
本発明の課題は、表示の多様性の要望に応えることができ、表示部を形成する材料として単一の構成成分を用いて、単純な工程によって段階表示が可能な表示部を形成でき、表示効果の高い期間インジケーターを提供することである。
本発明者は、液体透過性を有する基材面上に部分的に積層された液体透過性で光に対し低屈折率を呈する表示部が設けられた表示基材に液体を含有させ、表示部が透明化して認識できないようにした後、液体を揮散させ液体残存量を減少させていったとき、表示部の単位面積当たりの塗布量が多く、基材表面からの高さが高いほど、不透明化が早くなり、表示が認識できることを見いだし本発明に到達した。
即ち、本発明は、液体透過性を有する基材と、この基材上に部分的に積層された液体透過性で光に対し低屈折率の材料からなる表示部とからなり、揮散性の液体が含有されてなる期間インジケーターにおいて、前記表示部は、光に対し低屈折率を呈する微粒粉体にバインダーを混合してなる表示部形成材を基材表面に塗布することによって形成され、該表示部は２以上の領域から構成され、各領域は表示部形成材の単位面積当たりの塗布量が異なることにより前記基材の表面からの高さが異なることを特徴とする期間インジケーターに関する。
本発明はまた、上記期間インジケーターにおいて、表示部を構成する２以上の領域が、基材の表面上において、分離配置されてなることを特徴とする期間インジケーターに関する。
さらに本発明はまた、上記期間インジケーターにおいて、表示部を構成する２以上の領域における表示部形成材の単位面積当たりの塗布量が４〜１５０ｇ／ｍ２の範囲内にあり、塗布量の最も小さい領域における塗布量が４〜４０ｇ／ｍ２であり、２以上の領域間の塗布量の差が５ｇ／ｍ２以上であることを特徴とする期間インジケーターに関する。
本発明において、液体透過性を有する基材としては、板紙、ろ紙、合成繊維混抄紙等の紙材、不織布、フェルト状織物、無機繊維シート、セラミック系またはプラスチック系多孔質材など一般に多孔性構造材と称され、液体保持能力があるとともに、液体の揮散状態に応じて順次残存する含有液体を表示部へ移行させることができ、含有液体に対し化学的に不活性なものであれば特に限定されない。なお、基材は表示をより明確にさせるため、基材全体または表示部の形成される表面が着色されていることが好ましい。液体の保持、揮散、移行について本発明の目的に反しない限り、基材の表面に着色層が形成される場合も本発明の基材に含まれる。
基材の形状としては、シート状、ブロック状、円柱状など特に限定されず、表面も平面でも曲面でも表示部を設けることが可能であれば特に限定されるものではないが、表示部を形成させるため、印刷または塗工の際の適性からシート状が好ましい。
本発明において、表示部形成材に含まれる液体透過性で光に対し低屈折率を呈する微粒粉体とは、無定形シリカ、カオリン、炭酸カルシウム等の白色無機顔料、プラスチックピグメント等の有機顔料の微粉粒体である。これらの中では、無定形シリカが好ましい。無定形シリカは、合成非晶質シリカ微粉、含水非晶質二酸化ケイ素、超微粉末含水ケイ酸などとして市販されているトクシールＧＵ−ＮＰ（（株）トクヤマ製）、ニップジェルＡＺ−２００（日本シリカ工業（株）製）、ミズカシルＰ−７８Ａ（水澤化学工業（株）製）が使用できる。
本発明の表示部は、上記の液体透過性で光に対し低屈折率を呈する微粒粉体にバインダーを混合してなる形成材を用いて形成される。着色剤を加えることもできるが、液体含有時に表示部が透明化した際に、表示部が認識されないように基材面の呈色と同系色あるいは視覚的に識別できない色でなければならない。
バインダーとしては、酢酸ビニル、ＥＶＡ、ＮＢＲ、ＳＢＲ、アクリル系その他のラテックスなどを用いることができる。アクリル系バインダーとしては、日本カーバイド工業（株）製のニカゾールＲＸ−３０１Ｃ、ニカゾールＲＸ−８６４Ｓ、ニカゾールＦＸ−３２９が挙げられる。
混合されるバインダーの配合量は、微粉粒体を充分に固定するに足る量以上であってかつ有効な液体透過性が得られる量以下であることが要件とされる。表示部形成材を塗工方式で塗布する場合、一般に微粉粒体１００質量部に対しバインダー１０〜３０質量部が好ましく、印刷方式で塗布する場合、特に、スクリーン印刷では微粉粒体１００質量部に対しバインダー５０質量部程度が好ましく、粘度調整剤として高分子物質を添加することもできる。
基材表面上に塗布された表示部は、顔料の微粒粉体とこれより小さいバインダー粒子が、空隙を保持しつつ密集した層となる。顔料の微粒粉体と液体とは屈折率が同等であるため、表示部内の空隙が液体によって満たされると表示部は透明化する。液体の揮散が進むにつれて基材から表示部への液体の供給が少なくなり、表示部内に空隙が生じると不透明化して認識されるようになる。このため、このような表示部は、液体が消失して有効期間が終了することを知らせる期間終期の表示部となり得る。
単位面積当たりの塗布量が多くなると、基材表面からの表示部の高さが高くなる。本発明者によれば、表示部の単位面積当たりの塗布量が多く、基材表面からの表示部の高さが高いほど表示の発現が早くなることが見出された。即ち、基材の大きさ、基材表面に設けられた表示部の位置および形状が同一の場合、表示部の単位面積当たりの塗布量、従って基材表面からの高さが異なると表示の発現時期が異なり、基材表面からの高さが高いほど、表示の発現が早くなる。
本発明においては、表示部を２以上の領域で構成し、各領域は、単位面積当たりの塗布量が異なることにより基材の表面からの高さが異なることを特徴とする。これらの２以上の領域は、表示の発現に時間差を生じるために、液体残存量に対して段階的な表示が可能となる。すなわち、含有液体が揮散するにつれて、単位面積当たりの塗布量が多く基材表面からの高さの高い領域ほど、基材からの液体の移行が不足し、早く表示が認識できる。複数の領域のうち、単位面積当たりの塗布量が最も少なく基材からの高さが最も低い領域は、最も遅く表示が現れる。
表示部の各領域における単位面積当たりの塗布量は、４〜１５０ｇ／ｍ２から選択される。４ｇ／ｍ２未満では隠蔽性が低く表示機能が不十分となり好ましくない。また、塗布量を多くすると、印刷等の塗布工程を重ねる必要があり、印刷のずれなどの不良も発生しやすくなるので、単位面積当たりの塗布量の上限は、１５０ｇ／ｍ２とするのが好ましい。複数の領域の内、最少塗布量の領域における塗布量の範囲は、４〜４０ｇ／ｍ２とするのが好ましく、１０〜４０ｇ／ｍ２がより好ましい。
異なる領域間の塗布量の差は５ｇ／ｍ２以上が好ましく、１０ｇ／ｍ２以上がより好ましい。さらに好ましくは１５ｇ／ｍ２以上である。塗布量の差が５ｇ／ｍ２未満では、表示の発現時期の違いが不明瞭となり好ましくない。
表示部を構成する各領域の基材表面からの高さは、表示部形成材の密度と塗布量から計算される。すなわち、単位面積当たりの塗布量（ｇ／ｍ２）を密度（ｇ／ｃｍ３）で割ったものが、各領域の基材表面からの高さとなる。
本発明の表示部を形成するのに望ましい表示部形成材の密度は、０．３〜１．２ｇ／ｃｍ３であり、微粒粉体として無定形シリカを用いた場合の密度は、０．３〜０．６ｇ／ｃｍ３である。例えば、表示部形成材の密度が０．４６ｇ／ｃｍ３の場合、塗布量の異なる領域間の高さの差の望ましい範囲は、１０．９μｍ以上となる。
また、単位面積当たりの塗布量が同じであっても表示領域の大きさが異なると表示の発現時期に影響し、塗布部分の面積が大きく幅が広いほど、その周辺部から表示されやすい傾向を示す。従って、単位面積当たりの塗布量の差と塗布部分の面積の差を組み合わせることによって、より明瞭な段階表示が可能となる。即ち、早く発現させようとする表示領域ほど塗布量を多く塗布面積も大きくし、最も遅く発現させようとする表示領域は塗布量を少なく、幅を狭くすることによって、段階的表示の時間差をより大きくすることが可能となる。
本発明の期間インジケーターの表示部は、含有液体が揮散している間、基材から表示部へ含有液体が充分に供給され表示部内の空隙が液体で満たされている間は透明化されているため表示されないが、液体の移行量が不足し表示部内に空隙が生じてくると光散乱により不透明化し表示されてくる。従って、段階表示させるため、基材の大きさ、厚さ、含有液体量を考慮して各段階に相当する表示領域の塗布量や、塗布面積の大きさを調整するのが好ましい。設けられた表示部の各領域の全てが、比較的小さく、基材から液体が充分に供給されるような場合、設定期間のかなり後半に段階表示される期間インジケーターが得られる。大きな表示領域が設けられ、表示領域の大きさに比べ基材が比較的小さく、液体の供給が少なくなりがちな期間インジケーターでは、設定期間の比較的早くから表示される傾向を示す。
本発明の期間インジケーターの表示部は、２〜５段階表示するように塗布量の異なる領域が設けられてなることが好ましく、３段階以上の表示が可能なように複数の領域が設けられていると表示の効果がより高まる。
表示部の各領域は、文字、数字、記号または図形およびそれらの組合せとして形成できる。また、塗布部分が不透明化したとき非塗布部が文字、数字、記号または図形を表示するよう形成されていてもよい。表示部の各領域は、各々間隔を持って分離配置されているのが好ましいが、間隔を持たず互いに接続されていても構わない。更に、各段階毎に発現する領域は１つに限らず、複数形成されていても構わない。
また、本発明の期間インジケーターの表示部は、液体残存量が減少するに従って塗布量の多い領域から順次表示され、最少塗布量の領域が表示されたとき表示部全体が表示されるように設けられる。即ち、最も早く発現する領域から順次表示され最も遅く発現する領域が発現したとき表示部によって１つの意味を表現するよう設定することができるので、期間インジケーター利用者の注意を喚起しやすい効果がある。
本発明の期間インジケーターは、全く同じ塗布液を用いて表示部のすべての領域を形成することができ、印刷または塗工を繰り返すなど単純な工程を取り得るだけで、表示効果の高いものが得られる。
表示部各領域の形成方法は、種々の塗工方法を使用できるが、スクリーン印刷のような印刷法が好ましく用いられ、設定された塗布量を得るために重ね刷りすることも可能である。また、基材の表面に表示部が設けられた表示基材には、例えば、一方の表面に表示部の設けられたシート状基材のもう一方の表面にポリエステル、ポリプロピレン等の合成樹脂材、ガラス材などの液体不透過性のプレート状ないしフィルム状のカバー材を積層し、さらにはこのカバー材面上に接着剤ないし粘着剤の層を形成したものも含めることができる。また、基材の表裏両面に表示部が設けられたものも同様である。
上記のような表示基材の形状および大きさについては、期間インジケーターとしての使用目的に応じて任意に決定でき特に制限はないが、例えば、２０ｍｍ×５４ｍｍ×４００μｍ厚さの短冊状のものとすることができる。
表示基材に含有される液体については、当該表示基材に対し浸透性を有するとともに化学的に不活性な常温揮散性または加温揮散性の液体を、表示したい期間の長短、使用目的に応じて適宜選択できる。
揮散性の液体として、防虫作用、殺虫作用などを有効に発揮する薬剤を用いれば、期間インジケーターは、その薬剤自体の有効期間を表示するものとなる。
薬剤効果のない液体を用いる場合には、期間表示を必要とする薬剤の有効期間にあわせて、液体の種類や量を選定する。
以下に、本発明の期間インジケーターに使用することのできる常温揮散性あるいは加温揮散性の例を列挙する。常温では固体であって、融点以上に加熱することにより液体状態にして用いることができる加温揮散性の薬剤の例には、融点を併記した。
防虫剤、殺虫剤としては、
Ｏ−（２，２−ジクロロビニル）−Ｏ，Ｏ−ジメチルホスフェイト、１−エチニル−２−メチル−２−ペンテニル  ３−（２−メチル−１−プロペニル）−２，２−ジメチルシクロプロパンカルボキシラート、２−メチル−３−アリル−４−オキソ−２−シクロペンテン−１−イル  ２，２，３，３−テトラメチルシクロプロパンカルボキシラート、２，３，５，６−テトラフルオロ−４−メトキシメチルベンジル  ３−（１−プロペニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、２，３，５，６−テトラフルオロ−４−メトキシメチルベンジル  ３−（２−メチル−１−プロペニル）−２，２−ジメチルシクロプロパンカルボキシラート、２−メチル−３−アリル−４−オキソ−２−シクロペンテン−１−イル  ３−（２−メチル−１−プロペニル）−２，２−ジメチルシクロプロパンカルボキシラート、２−メチル−３−プロパルギル−４−オキソ−２−シクロペンテン−１−イル  ３−（２−メチル−１−プロペニル）−２，２−ジメチルシクロプロパンカルボキシラート、２，３，５，６−テトラフルオロベンジル  ３−（２，２−ジクロルエテニル）−２，２−ジメチルシクロプロパンカルボキシラート（融点３２℃）、クロルピリホスメチル（融点４０〜５０℃）、４−ヒドロキシ−６−メチル−３−（４−メチルペンタノイル）−２−ピロン（融点４０〜５０℃）。
防虫剤、殺虫剤の効能を強化する協力剤として、Ｎ−（２−エチルヘキシル）−ビシクロ〔２，２，１〕−ヘプタ−５−エン−２，３−ジカルボキシイミド、ピペロニルブトキシサイド。
忌避剤として、Ｎ，Ｎ−ジエチル−ｍ−トルアミド、３−（Ｎ−ブチル−Ｎ−アセチル）−アミノプロピオン酸エチル、２−（２−ヒドロキシ−エチル）−ピペリジン−１−カルボン酸ｓｅｃ−ブチルエステル、２−ヒドロキシエチル−ｎ−オクチル  サルファイド、カラン−３，４−ジオール（融点約３０℃）、ｐ−メンタン−３，８−ジオール（融点６５〜７０℃）。
植物精油として、ラベンダー油、ヒノキ油、クローブ油、レモングラス油、レモン油、ライム油、オレンジ油、イランイラン油、オレガノ油、シナモン油、タイム油、セージ油、ローズマリー油、ペパーミント油、カミツレ油、キャラウェー油、コリアンダー油、パイン油、ゼラニウム油、ユーカリ油、ヒソップ油、パチョリ油。
抗菌、抗黴剤として、ヒバ酸性油、アリルイソシアネート、フェネチルイソシアネート、チモール、カルバクロル、３−メチル−４−イソプロピルフェノール、ヒノキチオール（融点５０〜６０℃）
薬剤効果を有しない揮散性液体としては、短期表示用には、水、エタノール等のアルコール、酢酸イソアミル等を用いることができ、やや長期間の表示用には、グリセリン、プロピレングリコール、トリエチレングリコール等のグリコール、リナロール、ゲラニオール等の芳香剤、更に１ヶ月以上にわたる長期表示用には、ラウリルアルコール、フタル酸ジメチル、安息香酸ベンジル、ミリスチン酸イソプロピル、シリコンオイルなど、またはこれらの混合液を用いることができる。
上記の液体には、液体の表示機能に影響を与えない範囲で、揮発調整剤などの他の成分を配合することができる。揮発調整剤としては、流動パラフィン、ホホバオイル、シリコンオイル、ひまし油、パイン油、ハッカ油などであり、これらは２０質量％以下の量で配合することができる。
液体を前記表示基材中に含有させる方法としては、浸漬法、注入法、滴下含浸法等の既知の方法によることができる。
発明を実施するための最良の形態
第１図および第２図に示すように、青色に着色された基材４の片側表面上に、薬液透過性で光に対低屈折率の白色無機顔料の微粒粉体とバインダーとからなる表示部形成材を部分的に塗布し、二等辺三角形状の３つの領域１、２、３からなる白色の表示部を設けて、期間インジケーター表示基材ａを作製した。基材の表示部を設けていない方の表面には、カバー材５を積層した。
領域１、２、３の順に単位面積当たりの塗布量を小さくしたため、領域１、２、３の順に基材表面からの高さが低くなっている。表示基材ａに、油性の液体（図示せず）を含有させ期間インジケーターＡとした。
含有させた液体の揮散が終了するまでの表示部各領域の発現状況の経過を示す第３図から第５図に基づき、本発明の期間インジケーターにおける表示機構を説明する。変化する呈色の程度を青味の強い順に、濃青色→青色→薄青色→淡青色→淡青白色→白色と表する。
図示していないが、まず、表示基材ａ中に液体が充分に含有されると、基材４は濃色化し濃青色を呈し、表示部のすべての領域１、２、３は、光に対する低屈折率により透明化するため基材面の呈色と同化され認識されない。液体の揮散が開始し、期間インジケーターのあらゆる表面から液体が揮散する状況にあるがインジケーター表面に特に変化は見られない。基材から表示部への液体の移行が充分に行われている状態である。
第３図は、液体の揮散がある程度進行して、領域１が、基材表面の呈色とのコントラストの小さい薄青色の三角形として認識された状態を示す。
第４図は、更に液体の揮散が進行して、基材表面の呈色とのコントラストがやや大きくなった淡青色の領域１が認識されるとともに、領域２が、基材表面の呈色とのコントラストの小さい薄青色の三角形として認識された状態を示す。
第５図は、更に液体の揮散が進行して、領域１と領域２は白さを増しはっきりと表示され、基材表面の呈色とのコントラストの大きい淡青白色の領域３が認識された状態を示す。
更に揮散が進行して、含有液体がほとんど消失すると、領域１、２、３はいずれも白さを増し、液体を含有させる前の表示基材ａの表示部と同様の白さを呈する。
第６図は、上記とは別の期間インジケーター表示基材の正面図であり、第７図から第９図は、この期間インジケーターにおける液体の揮散が終了するまでの表示部各領域の発現状況の経過を示している。
青色に着色された基材１４の表面上に、薬液透過性で光に対し低屈折率の白色無機顔料の微粒粉体とバインダーとからなる表示部形成材を部分的に塗布し、二等辺三角形状を３分割した形状が間隔を置いて分離配置されてなる３つの領域１１、１２、１３からなる白色の表示部を設けて、期間インジケーター表示基材ｂを作製した。
領域１１、領域１２、領域１３の面積比は４．７：２．９：１である。領域１１、１２、１３の順に単位面積当たりの塗布量を小さくしたため、領域１１、１２、１３の順に基材表面からの高さが低くなっている。表示基材ｂに、油性の液体（図示せず）を含有させ期間インジケーターＢとした。
第７図は、液体の揮散がある程度進行すると、面積も塗布量も大きい領域１１が、基材表面の呈色とコントラストの小さい薄青色の台形として認識された状態を示す。
第８図は、更に液体の揮散が進行して、基材表面の呈色とのコントラストがやや大きく白さの増した領域１１が認識され、領域１２が、基材表面の呈色とのコントラストの小さい薄青色の台形として認識された状態を示す。
第９図は、更に液体の揮散が進行して、領域１１と領域１２はほぼ白色ではっきりと表示され、淡青色の三角形である領域１３が認識された状態を示す。
更に揮散が進行して、含有液体がほとんど消失すると、領域１１、１２、１３はいずれも白さを増し、液体を含有させる前の表示基材ｂの表示部と同様の白さを呈する。
第１０図は、上記とはさらに別の期間インジケーター表示基材の正面図であり、第１１図から第１３図は、この期間インジケーターにおける液体の揮散が終了するまでの表示部各領域の発現状況の経過を示している。
青色に着色された基材２４の表面上に、薬液透過性で光に対し低屈折率の白色無機顔料の微粒粉体とバインダーとからなる表示部形成材を部分的に塗布し、二等辺三角形状を３分割したが、分離せずに配置した３つの領域２１、２２、２３からなる白色の表示部を設けて、期間インジケーター表示基材ｃを作製した。
領域２１、２２、２３の面積比は、４．７：２．９：１である。領域２１、２２、２３の順に単位面積当たりの塗布量を小さくしたため、領域２１、２２、２３の順に基材表面からの高さが低くなっている。表示基材ｃに、油性の液体（図示せず）を含有させ期間インジケーターＣとした。
第１１図は、液体の揮散がある程度進行すると、面積も塗布量も大きい領域２１が、基材表面の呈色とコントラストの小さい薄青色の台形として認識された状態を示す。
第１２図は、更に液体の揮散が進行して、基材表面の呈色とのコントラストがやや大きく白さの増した領域２１が認識され、領域２２が、基材表面の呈色とのコントラストの小さい薄青色の台形として認識された状態を示す。
第１３図は、更に液体の揮散が進行して、領域２１と領域２２はほぼ白色ではっきりと表示され、淡青色の三角形である領域２３が認識された状態を示す。
更に揮散が進行して、含有液体がほとんど消失すると、領域２１、２２、２３はいずれも白さを増し、液体を含有させる前の表示基材ｃの表示部と同様の白さを呈する。
第１４図は、上記とはさらに別の期間インジケーター表示基材の正面図であり、第１５図から第１７図は、この期間インジケーターにおける液体の揮散が終了するまでの表示部各領域の発現状況の経過を示している。
青色に着色された基材３４の表面上に、薬液透過性で光に対し低屈折率の白色無機顔料の微粒粉体とバインダーとからなる表示部形成材を部分的に塗布し、領域３１、３２、３３からなる白色の表示部を設けて、期間インジケーター表示基材ｄを作製した。領域３１は大きい三角形、領域３２は小さい三角形、領域３３は、「ＥＮＤ」の文字からなる。領域３１、３２、３３の順に単位面積当たりの塗布量を小さくしたため、領域３１、３２、３３の順に基材表面からの高さが低くなっている。表示基材ｄに、油性の液体（図示せず）を含有させ期間インジケーターＤとした。
第１５図は、液体の揮散がある程度進行すると、面積も塗布量も大きい領域３１が、基材表面の呈色とコントラストの小さい薄青色の三角形として認識された状態を示す。
第１６図は、更に液体の揮散が進行して、基材表面の呈色とのコントラストがやや大きく白さの増した領域３１が認識され、領域３２が、基材表面の呈色とのコントラストの小さい薄青色の三角形として認識された状態を示す。
第１７図は、更に液体の揮散が進行して、領域３１の大きい三角形と領域３２の小さい三角形はほぼ白色ではっきりと表示され、淡青色の領域３３である「ＥＮＤ」の文字が認識された状態を示す。
更に揮散が進行して、含有液体がほとんど消失すると、領域３１、３２、３３はいずれも白さを増し、液体を含有させる前の表示基材ｄの表示部と同様の白さを呈する。
本発明の期間インジケーターにおける各段階の表示部の呈色の開始は、表示部の表面近くに空隙が発生し始めたときであるが、表示部の下部は依然として液体で満たされているため表示部の隠蔽性は低く、基材表面の色が淡色化した色合いを示す。例えば、基材が青色の場合、その青色が淡色化して淡青色を呈する。液体の揮散が進むにつれ表示部下部まで空隙発生が拡がっていくときも基材に液体が含有されている限り表示部への供給が途絶えることはないため表示部は揮散が完了するまで徐々に空隙が増加していくので、表示の呈色（白色化）も徐々に進むのである。表示部の塗布量が多くなるほど表示部の総空隙量が増加し、表示部内の空隙を満たすための必要量も増大するため、揮散によって基材中の液体含有量が減少していくと、供給量不足が早く到来し、表示が早く始まるのである。
従って、本発明は、表示部の塗布量または塗布面積およびそれらを組み合わせて調整するだけで表示の発現時期が異なり、多様な表示を可能にするため、利用者の注意を喚起しやすい効果を有する期間インジケーターを提供できる。
以下、実施例により本発明を説明するが、本発明はこれらに限定されるものではない。なお、本発明の期間インジケーターの表示部の発現状況の評価は以下のように行った。
〔表示部の発現状況評価〕期間インジケーターを各所定条件下に放置し、含有液体が揮散する際の表示部の発現状況を目視観察し、その結果を次の基準で評価した。
×：表示が認識できない
△：ぼやけていて表示が実質的に認識できない。
○：境界の呈色差があり、表示が認識できる
◎：境界の呈色差が大きく、表示がはっきり認識できる
［実施例１］
次のようにして、第１図、第２図に示す表示基材ａを作製した。
青色の湿式不織布の片面にカバー材５としてポリプロピレンフィルムを積層した基材４を用い、無定形シリカを用いた形成材を使用し、スクリーン印刷によって二等辺三角形を３つ並べ各塗布量を３水準に調整して、領域１、２、３からなる表示部形成した。表示部の各領域１、２、３の単位面積当たりの塗布量をそれぞれ１２０ｇ／ｍ２、５５ｇ／ｍ２、３５ｇ／ｍ２とした。表示部の各領域は塗布量によって隠蔽性が異なるため白さに差がみられるものであった。この表示基材ａに、油性の液体を含有させ期間インジケーターＡを作製した。
上記材料および処方の詳細を次に示した。
基材：青色湿式不織布（１５０ｇ／ｍ２、２０ｍｍ×５４ｍｍ×４００μｍ）
カバー材：ポリプロピレンフィルム（２０ｍｍ×５４ｍｍ×１００μｍ）
表示部形成材：
無定形シリカとアクリル系バインダー（固形分比１／０．５）に分散剤（ヘキサメタリン酸ナトリウム）、粘度調整剤（カルボキシメチルセルロース）を添加して調整した。
含有液体：フタル酸ジメチル（注入法により８０ｍｇ含有させた）
上記期間インジケーターＡを室温（２３℃）無風状態に放置し、液体揮散中の表示部の発現状況を目視観察した結果を以下に示した。
2003052721.tif 000003
［実施例２］
次のようにして、第６図の表示基材ｂを作製した。
実施例１と同様の材料を用いて、基材面上に、スクリーン印刷によって二等辺三角形を３分割した形状が間隔を置いて分離配置され、表示部形成材の塗布量の異なる領域１１、１２、１３からなる表示部を形成した。表示部の各領域１１、１２、１３の面積比は４．７：２．９：１であり、単位面積当たりの塗布量を８２ｇ／ｍ２、６０ｇ／ｍ２、２４ｇ／ｍ２とした。この表示基材ｂに実施例１と同様にフタル酸ジメチルを含有させ期間インジケーターＢを作製した。
上記期間インジケーターＢを室温（２３℃）無風状態に放置し、液体揮散中の表示部の発現状況を目視観察した結果を以下に示した。
2003052721.tif 000004
［実施例３］
次のようにして、第１０図の表示基材ｃを作製した。
実施例１と同様の材料を用いて、基材面上に、スクリーン印刷によって二等辺三角形を３分割した形状が間隔を置かず配置され、表示部形成材の塗布量の異なる領域２１、２２、２３からなる表示部を形成した。表示部の各領域２１、２２、２３の面積比は４．７：２．９：１であり、単位面積当たりの塗布量を６８ｇ／ｍ２、３５ｇ／ｍ２、１８ｇ／ｍ２とした。この表示基材ｃに実施例１と同様にフタル酸ジメチルを含有させ期間インジケーターＣを作製した。
表示の変化を加速させるため上記期間インジケーターＣを、５０℃恒温状態に放置し、液体を揮散させ、表示部の発現状況を目視観察した結果を以下に示した。
2003052721.tif 000005
［実施例４］
次のようにして、基材の着色を橙色とした以外は、第１４図の表示基材ｄと同形態の表示基材を作製した。
ろ紙（坪量１５０ｇ／ｍ２、３０ｍｍ×４０ｍｍ×厚さ５００μｍ）の片面に橙色顔料を用いてグラビア塗工して、表面色がＪＩＳ  ８７３０に準拠したＬ＊ａ＊ｂ＊表色系におけるＬ＊が７３の基材を作製した。なお、この基材の非着色面にはカバー材を積層させなかった。この基材の着色表面に、実施例１と同様の無定形シリカを用いた表示部形成材を用いて、スクリーン印刷によって二等辺三角形を向き合わせるように両端部付近に離して配置した領域３１、その内側により小さい二等辺三角形を同様に向き合わせて配置した領域３２、これらの中央に「ＥＮＤ」の小さい文字を配置した領域３３からなる表示部を形成した。表示部の各領域３１、３２、３３の単位面積当たりの塗布量をそれぞれ３２ｇ／ｍ２、２６ｇ／ｍ２、１４ｇ／ｍ２とした。
この表示基材に防虫剤である１−エチニル−２−メチル−２−ペンテニル  ３−（２−メチル−１−プロペニル）−２，２−ジメチルシクロプロパンカルボキシラートを注入法により４０ｍｇ含有させて期間インジケーターを作製した。
表示の変化を加速させるため上記期間インジケーターを、４０℃恒温状態に放置し、防虫薬液を揮散させ、表示部の発現状況を目視観察した結果を以下に示した。
2003052721.tif 000006
この期間インジケーターは、インジケーターの外側から中央部に向かって３段階の表示効果を呈した。
産業上の利用可能性
本発明は、単一の構成成分からなる表示部形成材を用いて、単純な工程によって、薬液の含有状態を段階表示する期間インジケーターを提供することができるので、防虫剤、殺虫剤、消臭剤、芳香剤などの薬液の有効期間を表示する期間インジケーターとして有用である。また、複数の領域からなる表示部の最も早く発現する領域から順次表示され最も遅く発現する領域が発現したとき表示部全体によって１つの意味を表現するよう設定することができるので、期間インジケーター利用者の注意を喚起しやすい効果がある。
【図面の簡単な説明】
第１図は、本発明にかかる期間インジケーターの表示基材の一例を示す模式平面図である。
第２図は、第１図の期間インジケーターの表示基材の模式正面図である。
第３図は、第１図と第２図の期間インジケーター表示基材に液体を含有させた後、液体が揮散して、表示部の１つの領域のみが発現している状態を示す模式平面図である。
第４図は、第３図の状態よりも液体の揮散が進行して、表示部の２つの領域が発現している状態を示す模式平面図である。
第５図は、第４図の状態よりもさらに液体の揮散が進行して、表示部の３つの領域すべてが発現している状態を示す模式平面図である。
第６図は、本発明にかかる期間インジケーターの表示基材の別の一例を示す模式正面図である。
第７図は、第６図の期間インジケーター表示基材に液体を含有させた後、液体が揮散して、表示部の１つの領域のみが発現している状態を示す模式平面図である。
第８図は、第７図の状態よりも液体の揮散が進行して、表示部の２つの領域が発現している状態を示す模式平面図である。
第９図は、第８図の状態よりもさらに液体の揮散が進行して、表示部の３つの領域すべてが発現している状態を示す模式平面図である。
第１０図は、本発明にかかる期間インジケーターの表示基材のさらに別の一例を示す模式正面図である。
第１１図は、第１０図の期間インジケーター表示基材に液体を含有させた後、液体が揮散して、表示部の１つの領域のみが発現している状態を示す模式平面図である。
第１２図は、第１１図の状態よりも液体の揮散が進行して、表示部の２つの領域が発現している状態を示す模式平面図である。
第１３図は、第１２図の状態よりもさらに液体の揮散が進行して、表示部の３つの領域すべてが発現している状態を示す模式平面図である。
第１４図は、本発明にかかる期間インジケーターの表示基材のさらに別の一例を示す模式正面図である。
第１５図は、第１４図の期間インジケーター表示基材に液体を含有させた後、液体が揮散して、表示部の２つの領域が発現している状態を示す模式平面図である。
第１６図は、第１５図の状態よりも液体の揮散が進行して、表示部の４つの領域が発現している状態を示す模式平面図である。
第１７図は、第１６図の状態よりもさらに液体の揮散が進行して、表示部のすべての領域が発現している状態を示す模式平面図である。
【図１】
2003052721.tif 000007
【図２】
2003052721.tif 000008
【図３】
2003052721.tif 000009
【図４】
2003052721.tif 000010
【図５】
2003052721.tif 000011
【図６】
2003052721.tif 000012
【図７】
2003052721.tif 000013
【図８】
2003052721.tif 000014
【図９】
2003052721.tif 000015
【図１０】
2003052721.tif 000016
【図１１】
2003052721.tif 000017
【図１２】
2003052721.tif 000018
【図１３】
2003052721.tif 000019
【図１４】
2003052721.tif 000020
【図１５】
2003052721.tif 000021
【図１６】
2003052721.tif 000022
【図１７】
2003052721.tif 000023
【国際調査報告】
2003052721.tif 000024
2003052721.tif 000025
2003052721.tif 000026
2003052721.tif 000027